(57)【要約】【課題】コネクタの絶縁ハウジングに容易に挿入可能な端子金具を提供する。【解決手段】コネクタの絶縁ハウジング３０に設けられた端子収容室３０ａ内に挿入される端子金具１において、電気接触部１１と、電気接触部１１の上面に設けられる嵌合部１２と、電気接触部１１の底壁の後端より延設される基板２と、ワイヤバレル部１４と、インシュレーションバレル部１５とを備える端子金具１であって、この端子金具１と電線２０を接続し端子収容室３０ａに挿入した場合に、端子収容室３０ａ内の上側面と上記バレル部１５の上面との距離が、端子収容室３０ａ内の上側面と電気接触部１１上面との距離よりも短くなるように、基板２が後方に向かうに従って上記端子収容室３０ａ内の上側面に近づく方向に屈曲する端子金具１。【選択図】図２
0003122589.tif 000002
【実用新案登録請求の範囲】
【請求項１】
コネクタの絶縁ハウジングに設けられた端子収容室内に挿入される端子金具において、
上記挿入方向前方に設けられる角筒状の雌型の電気接触部と、
該電気接触部の上面に設けられて、上記端子収容室内の上側面から下方に膨出するランス部と嵌合する嵌合部と、
上記電気接触部の底壁の後端より後方に延設される基板と、
該基板の側部から上方に延びて電線を抱き込む姿勢で該電線に圧着されるバレル部とを備え、
上記バレル部と電線とが圧着され且つ上記電気接触部上面の嵌合部と上記端子収容室内のランス部とが嵌合された状態において、上記端子収容室内の上側面と上記バレル部の上面との最短距離が上記端子収容室内の上側面と上記電気接触部の上面との最短距離よりも短くなるように、上記基板が、後方に向かうに従って上記端子収容室内の上側面に近づく方向に屈曲することを特徴とする端子金具。
【請求項２】
上記基板が、上記電気接触部の底壁の後端から該電気接触部に隣接するバレル部の前端にかけて該バレル部に向かうに従って上記端子収容室内の上側面に近づく方向に傾斜する傾斜部と、該傾斜部の後方に延設されて上記電気接触部の底壁と略平行な水平部とを備えることを特徴とする請求項１に記載の端子金具。
【請求項３】
コネクタの絶縁ハウジングに設けられた端子収容室内に挿入される端子金具において、
上記挿入方向前方に設けられる角筒状の雌型の電気接触部と、
該電気接触部の上面に設けられて、上記端子収容室内の上側面から下方に膨出するランス部と嵌合する嵌合部と、
上記電気接触部の底壁の後端より後方に延設される基板と、
該基板の側部から上方に延びて電線を抱き込む姿勢で該電線に圧着されるバレル部と、
上記基板上に設けられて、上記バレル部と電線とが圧着され且つ上記電気接触部上面の嵌合部と上記端子収容室内のランス部とが嵌合された状態において、上記端子収容室内の上側面に対して上記電気接触部の上面とほぼ同等の位置まで上方に突出する支持部とを備えることを特徴とする端子金具。
【請求項４】
上記支持部は、上記バレル部の途中部分に設けられるとともに、該バレル部と電線とが圧着された状態において上記バレル部の上面よりも上方へ突出していることを特徴とする請求項３に記載の端子金具。
【請求項５】
上記電気接触部上面の前端縁が、上記端子収容室内のランス部のうち上記電気接触部の上面と当接する部分の傾斜角度よりも大きい角度で面取りされていることを特徴とする請求項１〜４に記載の端子金具。
【考案の詳細な説明】
【技術分野】
【０００１】
本考案は、コネクタの絶縁ハウジングに設けられた端子収容室内に挿入される雌型端子金具に関するものである。
【背景技術】
【０００２】
上記のような端子金具としては、相手側端子金具と接続される電気接触部と、電線の芯線部分や被覆部分をかしめつける複数のバレル部とを備えたものが知られている。
【０００３】
例えば図７（ａ）に示すように特許文献１には、角筒状の電気接触部１１と、基板２と、ワイヤバレル部１４と、インシュレーションバレル部１５とを備えた雌型端子金具Ｂ１が開示されている。基板２は電気接触部１１の底壁の後端より後方にほぼ水平に延設されており、バレル部１４、１５はこの基板２の両側部から上方に立ち上がる側壁により形成されている。これらバレル部１４、１５は図７（ｂ）に示すように、内方に折り曲げられて電線２０の芯線部分２１および被覆部分２２を抱き込む姿勢でこの電線２０と圧着されている。
【０００４】
バレル部１４、１５によって電線２０が圧着された端子金具Ｂ１は図８（ａ）〜（ｃ）に示すように、コネクタの絶縁ハウジング３０に挿入される。
【０００５】
この端子金具Ｂ１を挿入するコネクタの絶縁ハウジング３０は、その内側に端子金具を挿入するための端子収容室３０ａと相手側端子金具が挿入される端子挿入孔３０ｂとを備えている。さらに、端子収容室３０ａはその内側の上側面前方に下方に膨出するランス部３１を備えている。ランス部３１は端子収容室３０ａ内の上側面に延設されて前方に向かうに従って下方に傾斜する傾斜面３１ａと、さらにその前方に設けられて端子金具Ｂ１と嵌合する嵌合突起３１ｂとから形成されている。
【０００６】
端子金具Ｂ１は、電気接触部１１上面の前端縁１１ａによってランス部３１を上方に押し上げながら、上記ランス部３１の傾斜面３１ａに沿って端子収容室３０ａ内に挿入されていく。そして、端子金具Ｂ１は、電気接触部１１の上面前方に設けられた嵌合部１２がランス部３１を乗り越え、さらにこの嵌合部１２とランス部３１の嵌合突起３１ｂとが嵌合するまで挿入されて、この両者の嵌合によってコネクタの絶縁ハウジング３０に固定される。端子金具Ｂ１が固定された絶縁ハウジング３０には上記端子挿入孔３０ｂから相手側端子が挿入されて、相手側端子金具と電気接触部１１の内部に設けられた弾性接触板１３とが接触し、相手側端子と端子金具Ｂ１とが電気的に接続される。
【０００７】
ここで端子収容室３０ａ内に挿入された端子金具Ｂ１において、バレル部１４、１５の
上面の位置と電気接触部１１の上面の位置とを比べると、図８（ａ）に示すように、電気接触部１１の上面の方が端子収容室３０ａ内の上側面に近く、バレル部１４、１５の上面は端子収容室３０ａ内の上側面と離間している。
【特許文献１】特開平９−１０２３４８号公報
【考案の開示】
【考案が解決しようとする課題】
【０００８】
上記のように、端子金具は、電気接触部１１上面の前端縁１１ａによってランス部３１を上方に押し上げつつ端子収容室３０ａ内に挿入されるので、上記前端縁１１ａにはランス部の復元力が加えられ、前端縁１１ａは下方に押さえつけられてしまう。その結果、端子金具には、電気接触部１１底壁の前端縁１１ｂを基点としてその後方側を上方に持ち上げようとする力が働いてしまう。ここで上記のような従来の端子金具Ｂ１では、端子収容室３０ａ内の上側面と電気接触部１１の上面とが最も近接しているので、端子金具Ｂ１は、電気接触部１１の上面の後端部１１ｃが端子収容室３０ａ内の上側面に当接するまで、後方に向けて上方に大きく傾斜してしまう。すなわち、端子収容室３０ａおよびランス部３１に対して電気接触部１１の挿入角度が大きくなってしまい、端子金具Ｂ１を端子収容室３０ａに挿入するのが非常に困難になる。
【０００９】
本考案は上記の点に鑑みてなされたものであり、コネクタの絶縁ハウジングに設けられた端子収容室に容易に挿入可能な端子金具を提供することを目的とする。
【課題を解決するための手段】
【００１０】
上記課題を解決するために本考案は、コネクタの絶縁ハウジングに設けられた端子収容室内に挿入される端子金具において、上記挿入方向前方に設けられる角筒状の雌型の電気接触部と、該電気接触部の上面に設けられて、上記端子収容室内の上側面から下方に膨出するランス部と嵌合する嵌合部と、上記電気接触部の底壁の後端より後方に延設される基板と、該基板の側部から上方に延びて電線を抱き込む姿勢で該電線に圧着されるバレル部とを備え、上記バレル部と電線とが圧着され且つ上記電気接触部上面の嵌合部と上記端子収容室内のランス部とが嵌合された状態において、上記端子収容室内の上側面と上記バレル部の上面との最短距離が上記端子収容室内の上側面と上記電気接触部の上面との最短距離よりも短くなるように、上記基板が、後方に向かうに従って上記端子収容室内の上側面に近づく方向に屈曲することを特徴とする端子金具を提供する。
【００１１】
このような構成によれば、電気接触部の前端縁にランス部の復元力が加えられたとしても、バレル部の上面と端子収容室内の上側面とが当接することで、端子金具がその後方に向かって上方に傾斜するのを抑制することができる。従って、電気接触部と端子収容室内のランス部とをほぼ平行に保ったまま端子金具を挿入することができるため、挿入が容易になる。
【００１２】
また本考案において、上記基板が、上記電気接触部の底壁の後端から該電気接触部に隣接するバレル部の前端にかけて該バレル部に向かうに従って上記端子収容室内の上側面に近づく方向に傾斜する傾斜部と、該傾斜部の後方に延設されて上記電気接触部の底壁と略平行な水平部とを備えるのが好ましい。
【００１３】
このような構成によれば、端子収容室内に端子金具を挿入する際に、挿入方向に対して平行に挿入力を加えることができるため挿入が容易になる。
【００１４】
また本考案は、コネクタの絶縁ハウジングに設けられた端子収容室内に挿入される端子金具において、上記挿入方向前方に設けられる角筒状の雌型の電気接触部と、該電気接触部の上面に設けられて、上記端子収容室内の上側面から下方に膨出するランス部と嵌合する嵌合部と、上記電気接触部の底壁の後端より後方に延設される基板と、該基板の側部から上方に延びて電線を抱き込む姿勢で該電線に圧着されるバレル部と、上記基板上に設けられて、上記バレル部と電線とが圧着され且つ上記電気接触部上面の嵌合部と上記端子収容室内のランス部とが嵌合された状態において、上記端子収容室内の上側面に対して上記電気接触部の上面とほぼ同等の位置まで上方に突出する支持部とを備えることを特徴とする端子金具を提供する。
【００１５】
このような構成によれば、電気接触部の前端縁にランス部の復元力が加えられたとしても、この支持部の上面と端子収容室内の上側面とが当接することで、端子金具がその後方に向かって上方に傾斜するのを抑制することができる。従って、電気接触部と端子収容室内のランス部とをほぼ平行に保ったまま端子金具を挿入することができるため、端子金具の挿入が容易になる。
【００１６】
また本考案において、上記支持部は、上記バレル部の途中部分に設けられるとともに、該バレル部と電線とが圧着された状態において上記バレル部の上面よりも上方へ突出しているのが好ましい。
【００１７】
このようにすれば、支持部とバレル部とを一体に形成することができ、支持部とバレル部とを別体で設けた場合に比べて端子金具の大きさを小さくすることができる。また、バレル部からさらに支持部が突出する構造なので、バレル部とは別に支持部が形成される場合に比べて支持部の必要突出寸法が小さくなる。
【００１８】
また本考案において、上記電気接触部上面の前端縁が、上記端子収容室内のランス部のうち上記電気接触部の上面と当接する部分の傾斜角度よりも大きい角度で面取りされているが好ましい。
【００１９】
このようにすれば、端子収容室内のランス部と電気接触部上面との接触抵抗をさらに小さくできるため端子金具を容易に挿入することが可能になる。
【考案の効果】
【００２０】
以上のように、本考案によればコネクタの絶縁ハウジングに設けられた端子収容室内に容易に挿入可能な端子金具を提供することができる。
【考案を実施するための最良の形態】
【００２１】
（第一実施形態）
図１（ａ）に、本考案の第一の実施形態に係る端子金具の斜視図を、図１（ｂ）、（ｃ）にこの端子金具に電線を接続した場合の斜視図および側面図を示す。
【００２２】
図１（ａ）に示すように、本端子金具１は導電性の金属板によって一体に形成されたものであり、相手側端子金具と接続される電気接触部１１と基板２とワイヤバレル部１４とインシュレーションバレル部１５とを備えている。電気接触部１１は角筒状をしており、その内部には相手側端子金具と接触可能なように弾性接触板１３が設けられている。また電気接触部１１の上面前方にはランス部が嵌入される嵌合部である略矩形の嵌合孔１２が設けられている。
【００２３】
図１（ｂ）、（ｃ）に示すように、ワイヤバレル部１４およびインシュレーションバレル部１５は基板２の両側部から上方に立ち上がる側壁により形成されており、それぞれ内方に折り曲げられて電線２０の芯線部分２１および被覆部分２２を抱き込む姿勢で電線２０と圧着されている。
【００２４】
基板２は、電気接触部１１の底壁の後端から後方に向けて上方に傾斜する傾斜部２ａと、該傾斜部２ａの後方に延設されて電気接触部１１の下面と略平行な水平部２ｂとから形成されている。本実施形態では、傾斜部２ａは、図１（ｃ）に示すように電気接触部１１の底壁を基準として、インシュレーションバレル部１５の上面高さと電気接触部１１の上面高さとがほぼ一定となるように傾斜している。
【００２５】
上記端子金具１を絶縁ハウジング３０の端子収容室３０ａ内に挿入する際の図を図２に示す。
【００２６】
絶縁ハウジング３０は、上記のように、その内側に端子金具を挿入するための端子収容室３０ａと相手側端子金具が挿入される端子挿入孔３０ｂとを備え、端子収容室３０ａはその内側の上側面前方に下方に膨出するランス部３１を備えている。また、ランス部３１は端子収容室３０ａ内の上側面に延設されて前方に向かうに従って下方に傾斜する傾斜面３１ａと、さらにその前方に設けられて端子金具Ｂ１と嵌合する嵌合突起３１ｂとから形成されている。
【００２７】
端子金具１は、端子収容室３０ａ内に電気接触部１１を前方として挿入される。そして、電気接触部１１上面の前端縁１１ａがランス部３１の傾斜面３１ａに沿って挿入されるに従い、ランス部３１は上方に押し上げられていく。このとき電気接触部１１上面の前端縁１１ａにはランス部３１の復元力に基づく下向きの力が加えられ、相対的に端子金具１には、電気接触部１１の底壁の前端縁１１ｂを基点としてその後方側を上方に持ち上げようとする力が働く。
【００２８】
ここで、上述のように従来の端子金具Ｂ１では電気接触部１１の後端部１１ｃが端子収容室３０ａ内の上側面に当接するまで端子金具Ｂ１が上方に傾斜してしまっていたが、本実施形態では上記電気接触部１１の後端部１１ｃが端子収容室３０ａ内の上側面に当接する前に、電気接触部よりも後方に設けられたインシュレーションバレル部１５の上面が端子収容室３０ａに当接するので端子金具１の上方へ傾斜を抑制することができる。従って図８（ｂ）に示すような従来の場合に比べて端子収容室３０ａに対する電気接触部１１の傾斜角度を非常に小さくすることができ、端子金具１を端子収容室３０ａに対してほぼ平行に挿入することができるため、低挿入力での挿入が可能となる。
【００２９】
また、本実施形態のように基板２の後方を電気接触部下面と略平行な水平部２ｂとしておけば、挿入方向に対して平行に挿入力を加えることができるため挿入しやすくなる。また、コネクタに対して電線を平行に接続できるので配線等がしやすくなる。
【００３０】
また、本実施形態では電気接触部１１の上面の前端縁１１ａが、ランス部３１の傾斜角度よりも大きい角度で面取りされており、より低挿入力での装着が可能になる。
【００３１】
ここで、上記実施形態では、基板２に傾斜部２ａと水平部２ｂとが設けられる場合について示したが、図３に示すように、基板２全体が後方に向けて上方に傾斜していてもよい。
【００３２】
また、上記実施形態では、インシュレーションバレル部１５の上面が端子収容室３０ａ内の上側面に最も近接する場合について示したが、ワイヤバレル部１４の上面が端子収容室３０ａ内の上側面に最も近接するように基板２を屈曲させてもよい。
【００３３】
（第二の実施形態）
図４（ａ）〜（ｄ）に、本考案に係る第二の実施形態に係る端子金具に電線を接続した場合の斜視図、側面図および断面図１、断面図２を示す。
【００３４】
本実施形態は、上記第一の実施形態と同様に電気接触部１１と基板２とワイヤバレル部１４とインシュレーションバレル部１５とを備えている。しかし基板２は略水平であるとともに、インシュレーションバレル部１５の途中部分には上方に突出する支持部４０が設けられている。この支持部４０は、インシュレーションバレル部１５の途中部分から上方に延びる板状部材が、電気接触部１１の上面高さとほぼ同高さの位置で端子金具１の内方に向けて折り曲げられることにより形成されている。さらに、この板状部材は上記の内方に向けて折り曲げられた部分よりもさらに先端側の部分が上方に折り返されており、この折り返し部分が、電線２０の被覆部２２を抱き込む姿勢で電線２０に圧着される圧着部１５ａを構成している。この電線２０の被覆部２２は、例えば図４（ｃ）や図４（ｄ）に示すような方法で圧着される。
【００３５】
この端子金具１が端子収容室３０ａ内に挿入される場合には、電気接触部１１の前端縁１１ａにランス部３１からの復元力が加えられたとしても、端子収容室３０ａ内の上側面と支持部４０の上面とが当接することで端子金具１の傾斜を抑制することができる。従って、端子収容室３０ａおよびランス部３１に対して電気接触部１１をほぼ平行に保つことができるので、端子金具１の挿入が容易になる。
【００３６】
特に、本実施形態では、接続する電線の径が変化しても、インシュレーションバレル部１５の長さを変更するだけで支持部４０の全高を一定に保つことができる。すなわち、電線径およびこれに圧着される圧着部１５ａの高さ位置が変わっても、これに応じて１５ａからの支持部４０の突出寸法を変えることによって支持部４０の全高を一定に保つことができる。従って、電線径にかかわらず支持部４０と端子収容室３０ａの上側面とを当接させることができ、端子金具１の挿入抵抗を確実に抑えることができる。また、支持部４０をインシュレーションバレル部１５と一体に形成することで、端子金具１の長手方向の大きさを変更する必要がなくなり、さらに支持部自体の高さを小さくすることができる。
【００３７】
ここで、上記実施形態では支持部４０をインシュレーションバレル部１５の途中部分に設ける場合について示したが、支持部４０をワイヤバレル部１４の途中部分に設けてもよい（図５）し、上記バレル部とは別に設けてもよい（図６）。
【図面の簡単な説明】
【００３８】
【図１】（ａ）は本考案に係る端子金具の第一の実施形態の斜視図、（ｂ）はこの第一の実施形態に電線を接続した場合の斜視図、（ｃ）は（ｂ）の側面図である。
【図２】上記第一の実施形態の端子金具を絶縁ハウジングへ挿入した際の側断面図である。
【図３】上記第一の実施形態の変形例の側面図である。
【図４】（ａ）は本考案に係る端子金具の第二の実施形態に電線を接続した場合の斜視図、（ｂ）は（ａ）の側面図、（ｃ）および（ｄ）は（ｂ）のＡ-Ａ線断面図である。
【図５】上記第二の実施形態の変形例１の側面図である。
【図６】上記第二の実施形態の変形例２の側面図である。
【図７】（ａ）は従来の端子金具の斜視図、（ｂ）は従来の端子金具に電線を接続した場合の斜視図、（ｃ）は（ｂ）の側面図である。
【図８】（ａ）〜（ｃ）は従来の端子金具を絶縁ハウジングへ挿入した際の側断面図である。
【符号の説明】
【００３９】
１      端子金具
２      基板
２ａ    傾斜部
２ｂ    水平部
１１    電気接触部
１４    ワイヤバレル部
１５    インシュレーションバレル部
２０    電線
３０    絶縁ハウジング
３０ａ  端子収容室
３１    ランス部
４０    支持部
【図１】
0003122589.tif 000003
【図２】
0003122589.tif 000004
【図３】
0003122589.tif 000005
【図４】
0003122589.tif 000006
【図５】
0003122589.tif 000007
【図６】
0003122589.tif 000008
【図７】
0003122589.tif 000009
【図８】
0003122589.tif 000010